(57)【要約】【課題】ユーザーが希望するタイミングでジョブの実行結果を確認することのできるジョブ管理プログラムあるいはジョブ管理装置を提供する。【解決手段】画像データを処理する画像データ処理装置に実行させるジョブを前記装置に送信するジョブ出力部と、前記ジョブの実行結果を取得する時機の決定方法である取得時機指定を設定させる取得時機指定部と、設定した取得時機指定を記憶する取得時機指定記憶部と、前記ジョブを他のジョブと識別する識別子と前記ジョブの画像データ処理装置への送信時刻とを含むジョブ情報を記憶するジョブ情報記憶部と、記憶された前記取得時機指定に基づいて前記ジョブの実行結果を取得する取得時刻を決定する取得時刻決定部と、決定された前記取得時刻に前記ジョブ情報に基づいて前記ジョブの実行結果を取得するジョブ結果取得部と、取得したジョブの実行結果を表示させるジョブ結果表示部とを備えることを特徴とするジョブ管理装置。【選択図】図１
2007087160.tif 000002
【特許請求の範囲】
【請求項１】
画像データを処理する画像データ処理装置に実行させるジョブを前記装置に送信するジョブ出力部と、
前記ジョブの実行結果を取得する時機の決定方法である取得時機指定を設定させる取得時機指定部と、
設定した取得時機指定を記憶する取得時機指定記憶部と、
前記ジョブを他のジョブと識別する識別子と前記ジョブの画像データ処理装置への送信時刻とを含むジョブ情報を記憶するジョブ情報記憶部と、
記憶された前記取得時機指定に基づいて前記ジョブの実行結果を取得する取得時刻を決定する取得時刻決定部と、
決定された前記取得時刻に前記ジョブ情報に基づいて前記ジョブの実行結果を取得するジョブ結果取得部と、
取得したジョブの実行結果を表示させるジョブ結果表示部とを備えることを特徴とするジョブ管理装置。
【請求項２】
前記ジョブが、少なくとも印刷ジョブおよびファックス送信ジョブを含む複数種類のジョブからなる請求項１記載のジョブ管理装置。
【請求項３】
前記取得時機指定部が、ジョブの種類に応じて取得時機指定を設定できるように構成される請求項２記載のジョブ管理装置。
【請求項４】
前記取得時刻決定部が、前記取得時機指定と前記ジョブ情報とに基づいて前記取得時刻を算出して決定する請求項１記載のジョブ管理装置。
【請求項５】
前記取得時刻決定部が、前記ジョブが送信された時刻と設定された取得時機に基づいて前記取得時刻を決定する請求項１記載のジョブ管理装置。
【請求項６】
前記ジョブ出力部が、前記画像データ処理装置に前記取得時刻を算出させるための情報と前記ジョブ情報とを含むジョブを送信し、
前記取得時刻決定部が、前記画像データ処理装置で算出させた取得時刻を当該取得時刻に前記画像データ処理装置が取得したジョブの実行結果と共に取得する請求項１記載のジョブ管理装置。
【請求項７】
前記取得時機指定部が、前記ジョブの実行結果の取得指示が入力されたらただちに前記実行結果を取得するよう設定し、
前記取得時刻決定部が、前記取得指示が入力された時刻を取得時刻として決定する請求項１記載のジョブ管理装置。
【請求項８】
前記取得時機指定部が、取得時機指定として前記ジョブの送信からの経過時間を設定させ、
前記取得時刻決定部が、前記ジョブの送信時刻と設定させた前記経過時間とに基づいて前記取得時刻を決定する請求項１記載のジョブ管理装置。
【請求項９】
前記取得時機指定部が、前記取得時機指定として前記実行結果を取得させる時刻を設定させ、
前記取得時刻決定部が、設定させた前記時刻を前記取得時刻として決定する請求項１記載のジョブ管理装置。
【請求項１０】
前記ジョブ情報記憶部が、前記画像データ処理装置へ既に送信された他のジョブのジョブ情報をさらに記憶し、
前記ジョブ結果取得部が、前記ジョブ情報記憶部に記憶された他のジョブの実行結果を前記取得時刻にさらに取得する請求項１記載のジョブ管理装置。
【請求項１１】
前記取得時機指定部が、前記取得時機指定として取得指示を入力させ、
前記取得時刻決定部が、前記取得指示が入力された時刻を前記取得時刻として決定する請求項１記載のジョブ管理装置。
【請求項１２】
前記ジョブ結果取得部が、正常終了、異常終了の少なくとも２種類の結果を取得し、
前記ジョブ結果表示部が、前記種類に応じて表示方法を設定できるように構成される請求項１記載のジョブ管理装置。
【請求項１３】
実行結果を表示させるジョブを選択させる表示選択部をさらに備え、
前記ジョブ結果取得部が、前記表示選択部で選択されたジョブの実行結果を取得し、
前記ジョブ結果表示部が、取得した前記ジョブの実行結果を表示させる請求項１記載のジョブ管理装置。
【請求項１４】
コンピュータを、
画像データを処理する画像データ処理装置に当該装置に実行させるジョブを送信するジョブ出力部と、
前記ジョブの実行結果を取得させる時機を設定させる取得時機指定部と、
設定した取得時機指定を記憶する取得時機指定記憶部と、
前記ジョブを他のジョブと識別する識別子と前記ジョブの画像データ処理装置への送信時刻とを含むジョブ情報を記憶するジョブ情報記憶部と、
前記取得時機指定記憶部に記憶された取得時機指定に基づいて前記ジョブの実行結果を取得する取得時刻を決定する取得時刻決定部と、
決定された前記取得時刻と前記ジョブ情報とに基づいて前記ジョブの実行結果を取得するジョブ結果取得部と、
取得したジョブの実行結果を表示させるジョブ結果表示部として機能させるためのジョブ管理プログラム。
【発明の詳細な説明】
【技術分野】
【０００１】
この発明は、画像データを処理する画像データ処理装置に実行させるジョブを管理するジョブ管理装置およびジョブ管理プログラムに関する。
【背景技術】
【０００２】
コンピュータに接続された画像データ処理装置、例えば、プリンタやファックス、あるいはデジタル複合機に対してジョブを実行させた場合、ジョブの実行を終了するまでに時間を要する。画像データ処理装置がコンピュータの近くにあれば、ユーザーはジョブを実行させたコンピュータを操作しながら、ジョブの進行状況を把握することができる。また、用紙切れなどでジョブの実行に支障が生じた場合には、事態を認識して速やかに対処することができる。しかし、前記画像データ処理装置がネットワークを介して接続されている場合、目視での確認が困難な場合があり、実行させたジョブが正常に終了したか否かが判りにくいことがある。また、たとえば印刷ジョブを実行させた場合、離れた場所にある画像データ処理装置まで印刷物を取りに行く必要があるので、いつ取りにいくべきかが知りたい。そこで、ジョブを実行させたコンピュータの画面上にジョブの実行結果を表示させることのできる画像データ処理装置が知られている（例えば、特許文献１参照）。
【特許文献１】特開平２−１７２３４８号公報
【発明の開示】
【発明が解決しようとする課題】
【０００３】
しかし、従来は、画像データ処理装置のジョブ実行結果をジョブの実行終了と同時にコンピュータに通知している。このため、例えばユーザーが、実行すべきジョブをコンピュータから画像データ処理装置に送信してすぐに席を立った場合は、コンピュータの画面に表示された結果を見ることができない、また、連続して複数のジョブを画像データ処理装置に送信する場合、次のジョブを送信する作業中に前に送信されたジョブの実行結果が表示され、ジョブの状況が把握しにくいことがあった。
【０００４】
画像データ処理装置によるジョブの実行結果を、ユーザーが指定したタイミングで表示させることができれば、非常に便宜である。
【０００５】
この発明は、ユーザーが希望するタイミングでジョブの実行結果を確認することのできるジョブ管理プログラムあるいはジョブ管理装置を提供するものである。
【課題を解決するための手段】
【０００６】
この発明は、画像データを処理する画像データ処理装置に実行させるジョブを前記装置に送信するジョブ出力部と、前記ジョブの実行結果を取得する時機の決定方法である取得時機指定を設定させる取得時機指定部と、設定した取得時機指定を記憶する取得時機指定記憶部と、前記ジョブを他のジョブと識別する識別子と前記ジョブの画像データ処理装置への送信時刻とを含むジョブ情報を記憶するジョブ情報記憶部と、記憶された前記取得時機指定に基づいて前記ジョブの実行結果を取得する取得時刻を決定する取得時刻決定部と、決定された前記取得時刻に前記ジョブ情報に基づいて前記ジョブの実行結果を取得するジョブ結果取得部と、取得したジョブの実行結果を表示させるジョブ結果表示部とを備えることを特徴とするジョブ管理装置を提供する。
【０００７】
また異なる観点から、この発明は、コンピュータを、画像データを処理する画像データ処理装置に当該装置に実行させるジョブを送信するジョブ出力部と、前記ジョブの実行結果を取得させる時機を設定させる取得時機指定部と、設定した取得時機指定を記憶する取得時機指定記憶部と、前記ジョブを他のジョブと識別する識別子と前記ジョブの画像データ処理装置への送信時刻とを含むジョブ情報を記憶するジョブ情報記憶部と、前記取得時機指定記憶部に記憶された取得時機指定に基づいて前記ジョブの実行結果を取得する取得時刻を決定する取得時刻決定部と、決定された前記取得時刻と前記ジョブ情報とに基づいて前記ジョブの実行結果を取得するジョブ結果取得部と、取得したジョブの実行結果を表示させるジョブ結果表示部として機能させるためのジョブ管理プログラムを提供する。
【発明の効果】
【０００８】
この発明のジョブ管理装置は、ジョブの実行結果を取得する時機の決定方法である取得時機指定を設定させる取得時機指定部と、記憶された前記取得時機指定に基づいて前記ジョブの実行結果を取得する取得時刻を決定する取得時刻決定部と、決定された前記取得時刻に前記ジョブ情報に基づいて前記ジョブの実行結果を取得するジョブ結果取得部と、取得したジョブの実行結果を表示させるジョブ結果表示部とを備えるので、ユーザーに設定させたタイミングでジョブの実行結果を表示させことができる。
【０００９】
また、この発明のジョブ管理プログラムは、コンピュータをジョブの実行結果を取得する時機の決定方法である取得時機指定を設定させる取得時機指定部と、記憶された前記取得時機指定に基づいて前記ジョブの実行結果を取得する取得時刻を決定する取得時刻決定部と、決定された前記取得時刻に前記ジョブ情報に基づいて前記ジョブの実行結果を取得するジョブ結果取得部と、取得したジョブの実行結果を表示させるジョブ結果表示部として機能させるので、ユーザーに設定させたタイミングでジョブ結果を表示することができる。
【００１０】
前記ジョブが、少なくとも印刷ジョブおよびファックス送信ジョブを含む複数種類のジョブからなっていてもよい。さらに、前記ジョブが、インターネットファクス送信ジョブを含んでいてもよい。
【００１１】
前記取得時機指定部が、ジョブの種類に応じて取得時機指定を設定できるように構成されてもよい。このようにすれば、ユーザーが希望する種類のジョブだけの結果表示を行うことによって、不要な表示を出さないように設定でき、ユーザーにとってジョブの実行結果が把握しやすくなる。例えば、ユーザーが、ファクス送信の結果は通知を希望するが、印刷結果は通知を希望しないといった場合に、ファクス送信結果のみを表示することができる。画像データ処理装置が複合機か複数の単機能機かに係らず、前述の設定が可能であってよい。
【００１２】
また、前記取得時刻決定部が、前記取得時機指定と前記ジョブ情報とに基づいて前記取得時刻を算出して決定するようにしてもよい。
あるいは、前記取得時刻決定部が、前記ジョブが送信された時刻と設定された取得時機に基づいて前記取得時刻を決定するようにしてもよい。
【００１３】
さらにまた、前記ジョブ出力部が、前記画像データ処理装置に前記取得時刻を算出させるための情報と前記ジョブ情報とを含むジョブを送信し、前記取得時刻決定部が、前記画像データ処理装置で算出させた取得時刻を当該取得時刻に前記画像データ処理装置が取得したジョブの実行結果と共に取得するようにしてもよい。
また、前記取得時機指定部が、前記ジョブの実行結果の取得指示が入力されたらただちに前記実行結果を取得するよう設定し、前記取得時刻決定部が、前記取得指示が入力された時刻を取得時刻として決定するものであってもよい。
【００１４】
さらに、前記取得時機指定部が、取得時機指定として前記ジョブの送信からの経過時間を設定させ、前記取得時刻決定部が、前記ジョブの送信時刻と設定させた前記経過時間とに基づいて前記取得時刻を決定するものであってもよい。このようにすれば、ユーザーに設定させた経過時間にジョブの実行結果を取得させ、表示することができる。従って、ユーザーがコンピュータの画面を見ている時刻にジョブの実行結果を表示するように設定させることにより、ジョブの実行結果を見逃すことのないように設定をさせることができる。
【００１５】
さらにまた、前記取得時機指定部が、前記取得時機指定として前記実行結果を取得させる時刻を設定させ、前記取得時刻決定部が、設定させた前記時刻を前記取得時刻として決定するものであってもよい。このようにすれば、ユーザーに設定させた時刻に、ジョブの実行結果を取得して表示させることができる。従って、ユーザーが希望する時刻に、前記実行結果を表示することができる。
【００１６】
ここで、時刻の設定方法としては、ある幅を持たせた時間帯として設定できるようにしてもよい。あるいは、ユーザーが指定した時刻に対して所定の時間幅を付加するようにしてもよい。
【００１７】
前記ジョブ情報記憶部が、前記画像データ処理装置へ既に送信された他のジョブのジョブ情報をさらに記憶し、前記ジョブ結果取得部が、前記ジョブ情報記憶部に記憶された他のジョブの実行結果を前記取得時刻にさらに取得するようにしてもよい。このようにすれば、コンピュータが起動していなかったために結果を取得できなかったジョブについても、他のジョブの結果を取得する際に結果を取得することができる。例えば、複数のジョブが結果表示の対象となっている場合、前記取得時刻にまとめて状態を取得し最新の結果を表示させることができる。
【００１８】
また、前記取得時機指定部が、前記取得時機指定として取得指示を入力させ、前記取得時刻決定部が、前記取得指示が入力された時刻を前記取得時刻として決定するようにしてもよい。この場合、ユーザーによる取得指示の入力に応じて、そのときの実行結果が取得・表示される。このようにすれば、ユーザーが希望するときに実行結果を表示させることができる。例えば、複数のジョブを連続して出力する場合に、異なるジョブの結果が短い間隔で幾度も表示されることを回避し、ユーザーが取得指示を入力したときにそれらの実行結果を一括して表示させることができる。
【００１９】
さらにまた、前記ジョブ結果取得部が、正常終了、異常終了の少なくとも２種類の結果を取得し、前記ジョブ結果表示部が、前記種類に応じて表示方法を設定できるように構成されていてもよい。このようにすれば、例えば、ユーザーが、送信に「成功」した場合は結果の通知を希望しないが、「失敗」した場合は通知を希望するなど、実行結果に応じた表示を希望する場合に対応することができる。ユーザーが希望する結果だけを表示させることにより、ユーザーにとってジョブの実行結果が把握しやすくなる。
【００２０】
あるいはまた、実行結果を表示させるジョブを選択させる表示選択部をさらに備え、前記ジョブ結果表示部が、選択されたジョブの実行結果を表示するようにしてもよい。このようにすれば、ユーザーが希望するジョブだけの実行結果を表示させることにより、ユーザーにとってジョブの実行結果が把握しやすくなる。
【発明を実施するための最良の形態】
【００２１】
以下、図面を用いてこの発明をさらに詳述する。以下の説明により、この発明をよりよく理解することが可能であろう。なお、以下の説明は、すべての点で例示であって、制限的なものではないと考えられるべきである。
【００２２】
図２は、この発明に係るコンピュータ１０１が、ネットワーク１０６を介して画像データ処理装置１０２に接続され、当該装置に対してジョブの実行を指示できるようにされた状態を示す説明図である。ネットワーク１０６には、他のコンピュータ１０３、１０４、１０５も接続されている。他のコンピュータも画像データ処理装置１０２にジョブを実行させることができるようになっていてもよい。
【００２３】
図３は、図２のコンピュータ１０１のハードウェア構成の概略を示すブロック図である。図３に示すように、コンピュータ１０１は、プログラムを実行するＣＰＵ２０１、ＣＰＵ２０１が実行するアプリケーション・プログラムやオペレーティング・システム、データを格納するハードディスク２０２、ＢＩＯＳなどのプログラムを格納するＲＯＭ、ワークエリアを提供するＲＡＭ２０４、ネットワークとの接続Ｉ／Ｆであって、ネットワーク１０６を介して画像データ処理装置１０２や他のコンピュータとの通信を実現する通信部２０５、ユーザーとのＩ／Ｆを提供するディスプレイ２０６およびキーボード・マウス２０７、現在時刻を計時するタイマ２０８を備える。コンピュータ１０１は、例えば、汎用のパーソナルコンピュータであってもよい。
【００２４】
この発明のジョブ管理プログラムは、例えば、アプリケーション・プログラムの１つとしてハードディスク２０２に格納され、コンピュータ１０１の電源がオンされた初期化処理時に、ハードディスク２０２から読み出されてＲＡＭ２０４上に展開され、ＣＰＵ２０１によって実行されるものであってもよい。
また異なる観点から、この発明のジョブ管理装置は、コンピュータ１０１が、ハードディスク２０２に格納され、電源投入時にＲＡＭ２０４上に展開された前記ジョブ管理プログラムを実行することによって実現される。
【００２５】
図４は、この発明に係る画像データ処理装置の一態様としてのデジタル複合機の機構的な構造の例を示す断面図である。図４に示すように、この画像データ処理装置１は大略的に、上側のスキャナと下側の印刷装置から構成される。スキャナは、走査光学系７６と、その上方に配置される原稿給送装置７７とを備えている。一方、下側の印刷装置は、画像を形成させるための記録材であるシートの搬送系、レーザー書き込みユニット４６、および画像を形成するための電子写真プロセス部４８を備えている。レーザー書き込みユニット４６は、画像メモリ（不図示）から読み出した画像データに応じてレーザー光を出射する半導体レーザー光源（不図示）、レーザー光を等角速度偏向するポリゴンミラー４６ｂ、等角速度で偏向されたレーザー光が電子写真プロセス部の感光体ドラム４８を構成する感光体ドラムの表面において等角速度で偏向されるように補正するｆ−θレンズ４６ｃなどを有している。
上記電子写真プロセス部は、感光体ドラム４８の周囲に帯電器４５、現像器４７、転写器４４、剥離器４３、クリーニング器４２、除電器４１を備えている。
【００２６】
一方、シートの搬送系は、上述した画像形成を行う電子写真プロセス部の、特に転写器４４が配置された転写位置へとシートを搬送するシート搬送部４０、該シート搬送部４０へとシートを送り込むためのカセット給紙装置５１、５２、５３、転写後のシートに形成された画像、特にトナー像を定着するための定着器４９、定着後のシートの裏面に再度画像を形成するためにシートを再供給するための再供給ユニット５５とを備えている。
【００２７】
また、定着器４９の下流側には、画像が記録されたシートを受け取り、このシートをオフセットさせてスタックし、またステープル、パンチなどの所定の処理を施す後処理装置６０が配置されている。
【００２８】
図示しない画像メモリから読み出された画像データは、レーザー書き込みユニット４６によってレーザー光線を走査させることにより電子写真プロセス部の感光体ドラム４８の表面上の静電潜像に変換され、現像器４７から供給されるトナーにより可視像化されてトナー像となる。トナー像は多段給紙ユニットのいずれかの給紙部から搬送された用紙の面上に静電転写され定着される。
このようにして画像が形成された用紙は定着器４９から本体排紙ローラ５７を経由して後処理装置６０内へと搬送される。後処理装置は、設定に応じてステープラーによるステープル処理あるいは図示しないパンチャーによるパンチ処理を行う。
【００２９】
さらに、図１６は、この発明に係る画像データ処理装置の一態様としてＦＡＸ機能を有するデジタル複合機の電気的な構成の一例例を示すブロック図である。図１６に示すデジタル複合機３０１には、電話回線網３０４により例えば外部ＦＡＸ３０６が接続されていると共に、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等のネットワーク３を介して、複数の端末ＰＣ３０２ａ，３０２ｂ及びさらにインターネット網３０５経由でネットワーク３０３外部にあるインターネットＦＡＸ３０７や外部ＰＣ３０８や外部サーバ３０９などに接続されている。これらのネットワーク構成により、各種データの送受信が可能となっている。
【００３０】
デジタル複合機３０１は、画像読み取り部３３１，操作部３３２，画像形成部３３３，機器制御部３３４，ＦＡＸモデム３３５，通信部３３６，ＨＤ３３７，消去処理部３３８，管理部３３９，タイマ３４０などで構成される。なお、本発明に係るデジタル複合機３０１の各手段は、全てがハードウェアで構成される必要はなく、デジタル複合機３０１をそれらの手段として機能させるプログラムを機器制御部３３４等の制御部などに組み込み（或いはログ管理プログラムや送信制限プログラムなど、一部を管理部３３９に組み込み）、演算装置に実行させることでも容易に実装できる。また、上述のごときプログラムは、例えばデジタル複合機３０１の機器制御部３３４や管理部３３９などに、ファームウェアとして実装されることが多い。
【００３１】
操作部３３２は、操作画面の表示を行う出力部（表示部）３３２ｂとその表示を元に利用者に各種設定及び操作内容を入力させる入力部３３２ａとを備えるタッチパネル等でなる。画像読み取り部３３１は、操作部３２での操作に基づき、原稿検知センサ３３１ｂによって原稿の有無を検知しＣＣＤ（電荷結合素子）３３１ａでその原稿を読み取り画像データとして出力する。ＦＡＸモデム３３５は外部ＦＡＸ３０６とのファクシミリ通信を行うためのモデムである。通信部３３６は、ネットワーク３経由で接続されたデジタル複合機３０１の外部機器との通信を制御する。
【００３２】
画像形成部３３３は、画像読み取り部３３１で読み取った画像データやＦＡＸモデム３３５或いは通信部３３６で受け取った受信データなどをメモリ３３３ｂに一時記憶し、レーザスキャナユニット（ＬＳＵ）を搭載した印字部３３３ａから用紙等の媒体に画像を形成する。画像形成部３３３では、暗号処理部３３３ｃにてメモリ３３３ｂに記憶された画像データ等のデータを暗号化してＨＤ３３７に記憶することも可能となっており、逆に、ＨＤ３３７に記憶された暗号化データを復号化してメモリ３３３ｂを介してネットワーク３０３等を経由して外部機器に出力することや印字部３３３ａで媒体として印字出力することも可能となっている。消去処理部３３８は、ＨＤ３３７に記憶されたデータを、セキュリティ保持や記憶容量確保などのために消去する処理を行う。
【００３３】
機器制御部３３４は、上述した各部に接続された主制御部であり、管理部３３９の管理データ及びタイマ３４０からのタイマ時間を参照しながら、デジタル複合機３１１の各部間のデータのやり取りをはじめとしてデジタル複合機３０１の動作を統括的に制御する。管理部３３９は、例えばＨＤ３３７に格納された、上述のログ情報、自機３０１のＩＰアドレスなどを管理する。タイマ３４０は、デジタル複合機３０１の待機状態の時間を計時し、この時間を機器制御部３３４に通知する。機器制御部３３４における制御の一例を挙げると、操作部３３２は、利用者の操作入力により指示された複写要求や各種の記録条件等を機器制御部３３４に通知し、機器制御部３３４は、デジタル複合機３０１の動作状態等を操作部３３２の表示部３３２ｂの表示画面に表示すると共に、画像形成部３３３に印字処理等を指示する。
【００３４】
図１７は、図１６におけるＰＣ３０２（３０２ａ、３０２ｂ）の構成例を示すブロック図である。図１７中で、符号３０２はＰＣ、３５１はＣＰＵ（Ｃｅｎｔｒａｌ  Ｐｒｏｃｅｓｓｉｎｇ  Ｕｎｉｔ）、３５２は表示部、３５３はＲＡＭ（Ｒａｎｄｏｍ  Ａｃｃｅｓｓ  Ｍｅｍｏｒｙ）等のメモリ、３５４はオペレーションシステムや他の制御プログラムを格納したＲＯＭ（Ｒｅａｄ  Ｏｎｌｙ  Ｍｅｍｏｒｙ）、３５５は印刷管理部、３５６はメール管理部、３５７は操作部、３５８はモデム部、３５９は通信部、３６０は管理部、３６１は記憶部である。
【００３５】
図１は、図２のコンピュータ１０１と画像データ処理装置１０２の機能的な構成を示すブロック図である。図２のように、コンピュータ１０１と画像データ処理装置１０２は、ネットワークを介して接続されている。図１で、コンピュータ１０１は、機能的に制御部Ａ１１と、記憶部Ａ１２とに大別される。これらの機能ブロックは、いずれも、この発明のジョブ管理プログラムをＣＰＵ２０１が実行することによって実現されるものである。
【００３６】
制御部Ａ１１は、画像データ処理装置１０２に実行させるジョブの実行結果の取り扱いに関する処理を行う。詳細には、制御部Ａ１１は、ジョブの実行結果の取得時機指定を設定させる取得時機指定部１、処理させる画像データと当該処理に関する情報からなるジョブを画像データ処理装置１０２に送信するジョブ出力部２、ジョブの実行結果を画像データ処理装置１０２から取得するジョブ結果取得部３、取得した実行結果を表示させるジョブ結果表示部４を含む。さらに、実行結果を表示させるジョブを選択する表示選択部５を含んでいてもよい。また、記憶部Ａ１２は、ハードディスク２０２およびＲＡＭ２０４に格納するデータの管理を行い、取得時機指定を記憶する取得時機指定記憶部８、実行させるジョブについての情報を記憶するジョブ情報記憶部９、実行結果の取得時刻を決定する取得時刻決定部１０を含む。
【００３７】
画像データ処理装置１０２は、機能的に制御部Ｂ１５と記憶部Ｂ１６とに大別される。これらの機能ブロックは、画像データ処理装置１０２内の図示しない制御基板内のマイクロコンピュータが、制御プログラムを実行することによって実現されるものであってもよい。制御部Ｂ１５は、ジョブ出力部２から送信されたジョブに含まれる画像データを処理する画像処理部１７、処理した画像出力部１８を出力する画像出力部１８、ジョブ結果取得部３からの要求を受けたときに、出力したジョブの結果を記憶するジョブ結果記憶部２１から要求されたジョブを検索するジョブ結果検索部１９、検索したジョブを返信するジョブ結果通知部２０を含む。記憶部Ｂ１６は、出力したジョブの結果を記憶するジョブ結果記憶部２１を含む。また、コンピュータ１０１側から取得時機指定に関する情報を送出し、画像データ処理装置１０２側でジョブ結果を取得する取得時刻を算出する場合は、前記取得時刻を算出する取得時刻算出部２２を備えていてもよい。取得時刻算出部２２は、必須の構成ではない。図１の取得時刻算出部２２の枠が点線で示しているのは、必須の構成でないことを示すためである。
【００３８】
図５は、図１の取得時機指定部１がユーザーに取得時機指定を設定させるための設定画面の一例を示す説明図である。前記設定画面は、ユーザーが画像データ処理装置１０２にジョブの実行を指示する際に、指示を行う画面内の１つのメニューとして表示できるようになっていてもよい。例えば、ユーザーが印刷を行う際に、印刷メニューの中に、前記設定画面を表示させるボタンが設けられ、ユーザーがそのボタンをクリックすると前記設定画面が表示されるようになっていてもよい。
さらに、前記設定画面は、プログラムのプロパティ等の設定、たとえば、プリンタドライバのプロパティで表示されるダイアログボックス中に設けられたボタンから表示できるようにしてもよい。このようにすれば、複数のジョブをまとめて印刷する場合、各ジョブの印刷ごとに設定を行う必要がないので、ユーザーの負担を軽減することができる。
【００３９】
図５に示す例では、取得時機指定として、自動取得と手動取得とをユーザーに選択させる。自動取得の場合は、さらに選択肢があり、「出力後何分」といったように、画像データ処理装置がジョブを出力してから所定時間を経過したときに、実行結果を取得するものと、取得時刻をユーザーに直接指定させるものとを選択させる。前記経過時間あるいは前記取得時刻は、ユーザーが画面上で入力することができる。手動取得の場合は、手動取得を選択して「結果を取得する」のボタン２５をクリックした際に、そのときジョブ情報記憶部９に記憶されているジョブの実行結果を取得する。
【００４０】
あるいは、自動取得の選択肢として、「ジョブ実行指示後何分」という指定ができるようになっていてもよい。この選択肢は、例えば、ユーザーが印刷ジョブをコンピュータ１０１上で実行させてから指定した時間が経過したときに当該ジョブの実行結果を取得するように設定するものである。
【００４１】
取得時機指定の設定が、ジョブの種類ごとに設定できてもよい。図６は、この発明に係る取得時機指定の設定画面の異なる例を示す説明図である。図６に示す設定画面では、ジョブの種類として、印刷ジョブ、ＦＡＸジョブ、インターネットＦＡＸジョブがあり、それらの種類ごとに個別の設定を行うことができる。例えば、印刷ジョブの場合は、図示のように、画像データ処理装置１０２がジョブを出力したらただちにジョブの実行結果をコンピュータ１０１に送り、実行結果を表示させる。しかし、ＦＡＸジョブについては、ユーザーが指定した時刻、例えば９時００分になったら実行結果を取得して表示するように設定することができる。
【００４２】
あるいは、取得時機指定の設定が、実行結果の種類ごとに設定できてもよい。図７は、この発明に係る取得時機指定の設定画面のさらに異なる例を示す説明図である。図７に示す設定画面では、実行結果の種類として、成功と失敗とがあり、それらの種類ごとに個別の設定を行うことができる。実行結果の種類として、さらに「実行中止」があってもよい。例えば、図７に示すように、実行結果が失敗の場合、画像データ処理装置１０２がジョブの出力に失敗したと判定したらただちに実行結果を報告するように設定する。しかし、実行結果が成功の場合は報告が不要であるなら、「成功」タブ内で「手動設定」に設定しておけばよい。手動設定の場合、ユーザーが「結果を表示する」のボタン２５をクリックしない限り、実行結果を取得することがないからである。
【００４３】
ユーザーに設定させた取得時機記憶方法は、取得時機指定記憶部８に記憶される。図８は、図１の取得時機指定記憶部８に記憶される設定データの一例を示す説明図である。図８に示す例は、取得時機指定が、ジョブの種類別かつ実行結果別に設定可能な場合の例である。図８で設定データ１は、ジョブの種類が「印刷ジョブ」であり、実行結果の種類が「失敗」の場合の設定である。設定データ２は、ジョブの種類が「ＦＡＸジョブ」であり、実行結果の種類が「成功」の場合の設定である。なお、取得方法が「手動」の場合は、時刻の設定が常に「無」になる。取得方法が「自動」の場合は、「出力後」か「時刻」の何れかに時刻の値が設定され、他方が「無」になる。「対象コンピュータ」は、ジョブ実行を指定するコンピュータ１０１を画像データ処理装置１０２に識別させるための識別子である。
【００４４】
また、図９は、図１のジョブ情報記憶部９に記憶されるデータの一例を示す説明図である。図９に示すように、ジョブ情報記憶部９には、実行が指示されたジョブごとに、当該「ジョブの種類」、各ジョブを他のジョブと識別するための識別子であって、ユーザーがジョブの実行を指示する際にコンピュータ１０１によって付与される「ジョブ名」、ジョブを画像データ処理装置１０２に送信した「送信時刻」、コンピュータ１０１上の「ユーザー名」、当該ジョブの「実行結果」、実行結果を取得した「取得時刻」の各項目に対応するデータが記憶される。
【００４５】
ここで、「ジョブ名」は、例えば、印刷の対象となるデータファイルの名称に基づいて決定されてもよい。「ユーザー名」は、コンピュータ１０１上で複数のユーザーとしてのログインが認められる場合の各ユーザー名に対応する。ＵＮＩＸ（登録商標）やマイクロソフトウインドウズＸＰ（登録商標）などのオペレーティング・システムでは、１つのコンピュータ上で複数のユーザーのログインが可能である。一方、マイクロソフトウインドウズＭｅ（登録商標）では、１つのコンピュータ上での複数ユーザーのログインはサポートされていない。そのような場合、ジョブ情報記憶部に記憶されるユーザー名は「無」である。
【００４６】
また、「実行結果」が画像データ処理装置１０２からまだ取得されていないとき、「出力結果」のデータは「無」である。また、前述した取得時機指定の設定画面で取得方法として「手動」が選択された場合の取得時刻は「無」である。一方、「自動」が選択された場合、「取得時刻」のデータは前記取得時刻決定部１０で算出された取得時刻あるいは画像データ処理装置１０２から取得された取得時刻である。画像データ処理装置１０２側で取得時刻が決定される場合は、画像データ処理装置１０２側で決定されて受信した取得時刻が表示されるので、それまでの間「取得時刻」のデータは「無」である。
【００４７】
ジョブ出力部２が、画像データ処理装置１０２へ送信するジョブは、当該装置に処理させるべき画像データのほかに、ジョブ情報記憶部９に記憶された内容に対応する「ジョブの種類」、「ジョブ名」、「送信時刻」、「ユーザー名」を含む。さらに、図８の設定データに対応する「コンピュータ名」を含む。
【００４８】
画像データ処理装置１０２は、受信したジョブの実行結果のやり取りを管理するための管理テーブルであるジョブ結果記憶部２１を有する。図１０は、図１の画像データ処理装置１０２が有するジョブ結果記憶部２１の一例を示す説明図である。図１０に示すように、前記ジョブ結果記憶部２１は、コンピュータ１０１あるいは、他のコンピュータから受信したジョブに含まれる情報、即ち、「ジョブの種類」、「ジョブ名」、「送信時刻」、「ユーザー名」、「コンピュータ名」をジョブごとに格納する。さらに、各ジョブを処理した結果を「実行結果」として格納し、ジョブの実行終了の時刻を「出力時刻」として格納する。そして、ジョブ結果取得部３からの要求に応じてコンピュータに返信される。ここで、ジョブ結果取得部３は、画像データ処理装置に対して実行結果を要求するときに、返信先のコンピュータ名の情報を付加して送信する。またさらに、ジョブ名が付加されていてもよい。画像データ処理装置は、実行結果の要求を受けた際に、付加された情報に基づいて前記ジョブ結果記憶部２１から該当するジョブを検索してそれらのジョブの実行結果と出力時刻とを要求元のコンピュータに返信する。ジョブ名が指定されている場合は、指定されたジョブ名だけを返信するが、指定が無ければ要求元のコンピュータの全てのジョブについて実行結果と出力時刻とを返信する。
ジョブ結果取得部３は、画像データ処理装置１０２から返信された実行結果と出力時刻とをジョブ情報記憶部９に格納する。
【００４９】
図１１は、取得した実行結果に基づいて、図１のジョブ結果表示部４がコンピュータ１０１のディスプレイ２０６に表示させるメッセージの一例を示す説明図である。図１１（ａ）は、ＦＡＸジョブの実行結果が成功の場合に表示させるポップアップ・メッセージ、図１１（ｂ）は、ファックスジョブの実行結果が失敗の場合に表示させるポップアップ・メッセージである。ジョブ名は、ジョブ情報記憶部９に「ジョブ名」として記憶されている内容である。この実施形態では、「プリンタ名」と「Ｆａｘ番号」とは、当該ジョブに対応する属性としてハードディスク２０２上の図示しない記憶部に別途記憶される。そして、記憶されたジョブの属性は、必要に応じてユーザーがコンピュータ１０１のディスプレイ２０６上に表示させることができる。
【００５０】
図１２は、前記ジョブの属性の表示例を示す説明図である。図１２は、ＦＡＸジョブの例であるが、印刷ジョブについても同様の表示ができるようにしてもよい。図１２に示すように、各ＦＡＸジョブの属性は、ＦＡＸジョブを画像データ処理装置に送信した「送信日時」、送信したドキュメント名、送信先のダイアル番号である「ＦＡＸ番号」、送信したドキュメントの「ページ数」、ステータスが表示される。ここで、図１２の「送信日時」は、ジョブ情報記憶部９に記憶される「送信時刻」に対応する。また、図１２の「ドキュメント名」は、ジョブ情報記憶部９に記憶される「ジョブ名」に対応していてもよい。さらに、「ステータス」は、ジョブ情報記憶部９に記憶される「実行結果」に対応する。
【００５１】
ここで、ステータスの左側のチェックボックスをクリックすることにより、当該ジョブに対応する取得時機指定の設定画面（例えば、前述の図５の画面）を表示させるようにしてもよい。例えば、表示された前記設定画面でユーザーがボタン２５をクリックすることによって、その時点のジョブの実行結果を取得し、ステータスの表示内容を更新するようにしてもよい。あるいは、自動取得の設定を変更できるようにしてもよい。
【００５２】
以下、図１３〜１６は、この発明のジョブ管理プログラムがコンピュータに実行させる処理の手順の例を示すフローチャートである。また、フローの処理を判りやすくするために、いずれの図にも画像データ処理装置１０２の応答を右側に付している。
【００５３】
（実施の形態１）
まず、図１３のフローチャートについて説明する。前述のように、取得時機指定部１は、ユーザーが画像データ処理装置１０２に実行させるジョブを設定する際に、取得時機の指定を行わせる。そして、指定させた取得時機を取得時機記憶部８に格納する（ステップＳ１０１）。この実施形態においては、指定させた取得時機が「ジョブ送信後何分」といった条件の自動取得であったとする。この場合、取得時機を決定する起点が、「ジョブ送信後」であって、コンピュータ１０１が処理する事象であるので、後述するように、取得時刻決定部１０が取得時機指定に基づいて取得時刻を算出して決定する。
【００５４】
処理の順序としては、取得時機の格納に続いて、画像データ処理装置１０２に実行させるジョブをジョブ出力部２が送信する（ステップＳ１０３）。また、ジョブ出力部２は、ジョブを送信した時刻を送信時刻として送信するジョブに付加すると共に、ジョブ情報記憶部９に「送信時刻」として格納する。前記ジョブの内容は、画像データ処理装置１０２に処理させる画像データと、処理の条件に関する情報である。前記情報は、図１０についての説明に記載したように、「ジョブの種類」、「ジョブ名」、「送信時刻」、「ユーザー名」、「コンピュータ名」を含む。そのほかにも、画像データ処理装置１０２がジョブを実行するために必要な情報を含む。例えば、印刷ジョブであれば印字用紙サイズの指定、片面／両面の指定、後処理の種類としてソート／ステープル／グループの指定など、ユーザーが指定し得る印刷ジョブのタイプや画質についての情報を含む。ＦＡＸジョブについても、ＦＡＸ送付先のダイアル番号、指定用紙サイズ、解像度などの情報を含む。
【００５５】
送信されたジョブを受信する画像データ処理装置１０２の側では、ジョブを受信すると、指定されたジョブの種類やタイプに応じて画像データを処理して出力する。そして、ジョブの実行結果をジョブ結果記憶部２１に格納する（ステップＳ１５１）。
【００５６】
一方、コンピュータ１０１の取得時刻決定部１０は、指定された取得時機から取得時刻を算出する。即ち、ジョブが送信された送信時刻に、「ジョブ送信後何分」の欄にユーザーが指定して時間を加えて取得時刻を算出する。そして、算出結果をジョブ情報記憶部９の「取得時刻」のデータとして保存する（ステップＳ１０５）。ただし、画像データ処理装置１０２側で取得時刻が決定される場合は、ジョブ情報記憶部９の「取得時刻」のデータには、「無」を示すものとして予め定義した値を設定する。例えば、取得時刻を１６ビットデータで表現する場合、予め「無」を表現する値として16進表現で０ｘｆｆｆｆｆｆｆｆを対応させておき、手動取得の場合は、前記の値を設定する。また、手動取得が選択された場合、ジョブの実行結果の取得指示があるまで、「無」を示す値を設定する。その後、ジョブの実行結果の取得が指示された場合、例えば、図５で「結果を取得する」と表記されたボタン２５が押された場合、ボタン２５が押された時刻を「取得時刻」のデータとして保存する。
【００５７】
取得時刻をコンピュータ１０１側で算出した場合（ステップＳ１０７）、ジョブ結果取得部３は、格納された取得時刻が到来するのを監視する（ステップＳ１０９）。取得時刻の到来監視は、例えば、コンピュータ１０１のタイマ２０８によって周期的に実行されるタイマ割り込みルーチン内で、ジョブ情報記憶部９に格納された「取得時刻」と現在時刻を比較してもよい。あるいは、ポーリング処理中で、タイマ２０８の値から現在時刻を取得し、ジョブ情報記憶部９に格納された「取得時刻」と比較してもよい。ジョブ結果取得部３は、取得時刻が到来したと判断すると、画像データ処理装置１０２に対して、ジョブの実行結果を要求するコマンドを送信する（ステップＳ１１１）。前述のように、「手動取得」が選択されてボタン２５が押された場合は、ボタン２５が押された時刻が「取得時刻」とされるので、ルーチンは待つことなしにステップＳ１１１の処理へ移行する。ステップＳ１１１で送信されるコマンドには、要求元のコンピュータ名、ジョブ名が付加されていてもよい。
【００５８】
前記コマンドを受信した画像データ処理装置１０２のジョブ結果検索部１９は、受信コマンドに含まれるコンピュータ名に基づいて、あるいはコンピュータ名とジョブ名とに基づいて、ジョブ結果記憶部２１に記憶されているデータを検索し（ステップＳ１５３）、前記コンピュータ名あるいはジョブ名に該当するジョブの実行結果と出力時刻とを取得する（ステップＳ１５５）。そして、ジョブ結果通知部２０が、取得した実行結果と出力時刻とを要求元のコンピュータ、即ちこの実施形態ではコンピュータ１０１に返信する（ステップＳ１５７）。
【００５９】
返信を受けたコンピュータ１０１側のジョブ結果取得部３は、取得した実行結果と出力時刻とをジョブ情報記憶部９に格納し、ジョブ結果表示部４は、取得したジョブの実行結果をディスプレイ２０６に表示させる（ステップＳ１１３）。表示の例は、図１１についての説明に記載のとおりである。
【００６０】
（実施の形態２）
この実施の形態は、指定させた取得時機が「ジョブ出力後何分」といった条件の自動取得の場合の処理を説明する。この場合、取得時機を決定する起点が、「ジョブ出力後」であって、画像データ処理装置１０２が処理する事象であるので、後述するように、画像データ処理装置１０２側で取得時刻を決定し、コンピュータ１０１側の取得時刻決定部１０は取得時機の算出を行わず、画像データ処理装置１０２から実行結果と共に取得時刻をして、それを取得時刻とする。
【００６１】
図１４のフローチャートに、この実施形態の処理の手順を示す。処理の手順としては、取得時機指定部１が、ユーザーに取得時機を指定させ、指定された取得時機を画像データ処理装置１０２へ送信（ステップＳ２０１）する。また、ジョブ出力部２は、画像データ処理装置１０２に実行させるジョブを当該装置へ送信する（ステップＳ２０３）。前記ジョブの内容は、実施の形態１で説明したとおりである。また、ジョブ出力部２は、ジョブを送信した時刻を送信時刻として送信するジョブに付加すると共に、ジョブ情報記憶部９に「送信時刻」として格納する。
【００６２】
画像データ処理装置１０２側では、受信した取得時機指定を管理テーブルに保存する（ステップＳ２５１）。さらに、ジョブを受信すると、指定されたジョブの種類やタイプに応じて画像データを処理して出力する。そして、ジョブの実行結果をジョブ結果記憶部２１に格納するここで、前記管理テーブルは、図１０に示すジョブ結果記憶部２１に、「取得時刻」の項目を加えて拡張したものであってもよいが、ジョブ結果記憶部２１とは別のものであってもよい。さらに、画像データ処理装置１０２の取得時刻算出部２２は、前記管理テーブルに格納した取得時機指定と、ジョブの出力時刻から取得時刻を算出する。即ち、ジョブを出力した出力時刻に、「ジョブ出力後何分」の欄にユーザーが指定した時間を加えて取得時刻を算出する。（ステップＳ２５３）。そして、算出結果を前記管理テーブルのデータとして保存する（ステップＳ２５５）。そして、管理テーブルに格納した取得時刻が到来するのを監視する（ステップＳ２５９）。画像データ処理装置１０２は、タイマを備えており、前記取得時刻の到来監視は、例えば、ポーリング処理中で、前記タイマから現在時刻を取得し、前記管理テーブルに格納された「取得時刻」と比較してもよい。画像データ処理装置１０２のジョブ結果検索部１９は、取得時刻が到来したと判断すると、取得時刻に対応するジョブの出力結果と出力時刻をジョブ結果記憶部２１から検索し（ステップＳ２６１）、該当するジョブの実行結果と出力時刻とを取得する（ステップＳ２６３）。ここで、ジョブ結果検索部１９は、当該ジョブだけではなく、当該ジョブを要求したコンピュータから実行を指示された全てのジョブについて、ジョブ結果記憶部２１に記憶されているデータを検索してもよい。ジョブ結果通知部２０は、取得した実行結果と出力時刻とを要求元のコンピュータ、即ちこの実施形態ではコンピュータ１０１に送信する（ステップＳ２６５）。
【００６３】
送信されたコンピュータ１０１側のジョブ結果取得部３は、受信した実行結果と出力時刻とをジョブ情報記憶部９に格納し、ジョブ結果表示部４は、取得したジョブの実行結果をディスプレイ２０６に表示させる（ステップＳ２０５）。表示の例は、図１１についての説明に記載のとおりである。
また、以上で説明した図１４の処理手順の変形例として、前記ステップＳ２５３でジョブを出力した後、出力時刻をコンピュータ１０１に送信し、コンピュータ１０１が、受信した出力時刻に基づいて取得時刻を算出し、取得時刻になると画像データ処理装置１０２に実行結果を要求するようにしてもよい。
【００６４】
（実施の形態３）
この実施の形態では、指定させた取得時機が手動取得の場合の処理の例について説明する。図１５のフローチャートに、この実施形態の処理の手順を示す。処理の手順としては、ユーザーが画像データ処理装置１０２に実行させるジョブを設定する際に、取得時機指定部１が、取得時機の指定をユーザーに行わせる。そして、指定させた取得時機を取得時機記憶部８に格納する（ステップＳ３０１）。この実施形態においては、指定させた取得時機が手動取得となる。取得時機の格納に続いて、画像データ処理装置１０２に実行させるジョブをジョブ出力部２が送信する（ステップＳ３０３）。また、ジョブ出力部２は、ジョブを送信した時刻を送信時刻として送信するジョブに付加すると共に、ジョブ情報記憶部９に「送信時刻」として格納する。前記ジョブの内容は、画像データ処理装置１０２に処理させる画像データと、処理の条件に関する情報である。前記情報は、図１０についての説明に記載したように、「ジョブの種類」、「ジョブ名」、「送信時刻」、「ユーザー名」、「コンピュータ名」を含む。そのほかにも、画像データ処理装置１０２がジョブを実行するために必要な情報を含む。
【００６５】
送信されたジョブを受信する画像データ処理装置１０２の側では、ジョブを受信すると、指定されたジョブの種類やタイプに応じて画像データを処理して出力する。そして、ジョブの実行結果をジョブ結果記憶部２１に格納する（ステップＳ３５１）。
【００６６】
一方、コンピュータ１０１の取得時刻決定部１０は、指定された取得時機が手動取得と判断すると（ステップＳ３０７）、ユーザーが取得指示を入力するのを監視する（ステップＳ３０９）取得指示の入力とは、例えば、図５の画面で、ユーザーがボタン２５をクリックする事象に相当する。
【００６７】
取得指示が入力されると、ジョブ結果取得部３は、画像データ処理装置１０２に対して、ジョブの実行結果を要求するコマンドを送信する（ステップＳ３１１）。前記コマンドには、要求元のコンピュータ名が付加されている。さらに、ジョブ名が付加されていてもよい。
【００６８】
前記コマンドを受信した画像データ処理装置１０２のジョブ結果検索部１９は、受信コマンドに含まれるコンピュータ名に基づいて、あるいはコンピュータ名とジョブ名とに基づいて、ジョブ結果記憶部２１に記憶されているデータを検索し（ステップＳ３５３）、前記コンピュータ名あるいはジョブ名に該当するジョブの実行結果と出力時刻とを取得する（ステップＳ３５５）。そして、ジョブ結果通知部２０が、取得した実行結果と出力時刻とを要求元のコンピュータ、即ちこの実施形態ではコンピュータ１０１に返信する（ステップＳ３５７）。
【００６９】
ここで、ジョブ結果検索部は、ジョブ結果取得部３が送信したコマンドにジョブ名が付加されている場合は、当該ジョブのみを検索結果とするが、前記コマンドにジョブ名が付加されていない場合は、付加されたコンピュータ名に該当するジョブ、つまり当該コンピュータから実行が指示された全てのジョブについて、ジョブ結果記憶部２１に記憶されているデータを検索結果として取得してもよい。
【００７０】
返信を受けたコンピュータ１０１側のジョブ結果取得部３は、取得した実行結果と出力時刻とをジョブ情報記憶部９に格納し、ジョブ結果表示部４は、取得したジョブの実行結果をディスプレイ２０６に表示させる（ステップＳ３１３）。表示の例は、図１１についての説明に記載のとおりである。
【００７１】
最後に、前述した実施の形態の他にも、この発明について種々の変形例があり得ることは明らかである。そのような変形例は、この発明の特徴及び範囲に属さないと解釈されるべきものではない。本発明の範囲には、特許請求の範囲と均等の意味および範囲内でのすべての変更とが含まれることが意図される。
【図面の簡単な説明】
【００７２】
【図１】図２に示すコンピュータ１０１と画像データ処理装置１０２の機能的な構成を示すブロック図である。
【図２】この発明に係るコンピュータ１０１が、ネットワーク１０６を介して画像データ処理装置１０２に接続された状態を示す説明図である。
【図３】図２のコンピュータ１０１のハードウェア構成の概略を示すブロック図である。
【図４】この発明に係る画像データ処理装置の一態様としてのデジタル複合機の機構的な構造の例を示す断面図である。
【図５】図１の取得時機指定部１がユーザーに取得時機指定を設定させるための設定画面の一例を示す説明図である。
【図６】この発明に係る取得時機指定の設定画面の異なる例を示す説明図である。
【図７】この発明に係る取得時機指定の設定画面のさらに異なる例を示す説明図である。
【図８】図１の取得時機指定記憶部８に記憶される設定データの一例を示す説明図である。
【図９】図１のジョブ情報記憶部９に記憶されるデータの一例を示す説明図である。
【図１０】図１の画像データ処理装置１０２が有するジョブ結果記憶部２１の一例を示す説明図である。
【図１１】取得した実行結果に基づいて、図１のジョブ結果表示部４がコンピュータ１０１のディスプレイ２０６に表示させるメッセージの一例を示す説明図である。
【図１２】ジョブの属性の表示例を示す説明図である。
【図１３】この発明のジョブ管理プログラムがコンピュータに実行させる処理の例を示すフローチャートである。
【図１４】この発明のジョブ管理プログラムがコンピュータに実行させる処理の異なる例を示すフローチャートである。
【図１５】この発明のジョブ管理プログラムがコンピュータに実行させる処理のさらに異なる例を示すフローチャートである。
【図１６】この発明に係る画像データ処理装置の一態様としてＦＡＸ機能を有するデジタル複合機の電気的な構成の一例例を示すブロック図である。
【符号の説明】
【００７３】
１    取得時機指定部
２    ジョブ出力部
３    ジョブ結果取得部
４    ジョブ結果表示部
５    表示選択部
８    取得時機指定記憶部
９    ジョブ情報記憶部
１０    取得時刻決定部
１１    制御部Ａ
１２    記憶部Ａ
１５    制御部Ｂ
１６    記憶部Ｂ
１７    画像処理部
１８    画像出力部
１９    ジョブ結果検索部
２０    ジョブ結果通知部
２１    ジョブ結果記憶部
２５    ボタン
４０    シート搬送部
４１    除電器
４２    クリーニング器
４４    転写器
４５    帯電器
４６    レーザー書き込みユニット
４６ｂ  ポリゴンミラー
４６ｃ  ｆ−θレンズ
４７    現像器
４８    感光体ドラム
４９    定着器
５０    給紙搬送路
５１，５２，５３    カセット給紙装置
５５    再供給ユニット
５６    再給紙搬送路
５７    本体排紙ローラ
６０    後処理装置
６１    ステープラー
７６    走査光学系
７７    原稿給送装置
１０１、１０３、１０４、１０５    コンピュータ、クライアント
１０２    画像データ処理装置
１０６    ネットワーク
２０１    ＣＰＵ
２０２    ハードディスク
２０３    ＲＯＭ
２０４    ＲＡＭ
２０５    通信部
２０６    ディスプレイ
２０７    キーボード・マウス
２０８    タイマ
【図１】
2007087160.tif 000003
【図３】
2007087160.tif 000004
【図８】
2007087160.tif 000005
【図９】
2007087160.tif 000006
【図１０】
2007087160.tif 000007
【図１３】
2007087160.tif 000008
【図１４】
2007087160.tif 000009
【図１５】
2007087160.tif 000010
【図１６】
2007087160.tif 000011
【図２】
2007087160.tif 000012
【図４】
2007087160.tif 000013
【図５】
2007087160.tif 000014
【図６】
2007087160.tif 000015
【図７】
2007087160.tif 000016
【図１１】
2007087160.tif 000017
【図１２】
2007087160.tif 000018